(57)【要約】【課題】洗浄対象物の洗浄作業を容易におこなうことができるノズルを提供することを課題とする。【解決手段】水の流出口に接続されて、水の流出口からの水が流入する流入部１１と、流入部から流入した水の流れを絞って水の流速を増加させる絞り部１２と、絞り部１２から下流側へ流出する水に気泡が混入するように空気を導入する空気導入部１３と、洗浄液が溜められる容器２内と連通するように構成され、絞り部１２から下流側へ流出する水に容器内２の洗浄液が混入するように洗浄液を導入する洗浄液導入部１４と、を具備し、流入部１１から流入した水に気泡および洗浄液を混入させて洗浄液混入気泡水とし、洗浄液混入気泡水を噴射するように構成されるノズル１とする。【選択図】図２
2013039504.tif 000002
【特許請求の範囲】
【請求項１】
水の流出口に接続されて、前記水の流出口からの水が流入する流入部と、
前記流入部から流入した水の流れを絞って水の流速を増加させる絞り部と、
前記絞り部から下流側へ流出する水に気泡が混入するように空気を導入する空気導入部と、
洗浄液が溜められる容器内と連通するように構成され、前記絞り部から下流側へ流出する水に前記容器内の洗浄液が混入するように前記洗浄液を導入する洗浄液導入部と、
を具備し、
前記流入部から流入した水に前記気泡および前記洗浄液を混入させて洗浄液混入気泡水とし、前記洗浄液混入気泡水を噴射するように構成される、
ノズル。
【請求項２】
前記空気導入部は、前記絞り部から下流側へ流出する水の水流によって前記空気が吸引されることにより、前記空気を導入するように構成され、
前記洗浄液導入部は、前記絞り部から下流側へ流出する水の水流によって洗浄液が吸引されることにより、前記洗浄液を導入するように構成される、
請求項１に記載のノズル。
【請求項３】
前記空気導入部の一部と前記洗浄液導入部の一部とが共通するように構成され、
前記空気導入部における空気の入口の開口は、大人の指の腹のよりも小さく開口するように形成される、
請求項２に記載のノズル。
【発明の詳細な説明】
【技術分野】
【０００１】
本発明は、ノズルの技術に関する。
【背景技術】
【０００２】
従来、水の流出口から流入した水に空気導入部から導入された空気を混入させて気泡水とし、前記気泡水を噴射するノズルは公知となっている（特許文献１参照）。
このようなノズルでは、その噴射口から気泡水を洗浄対象物（例えば、壁、天井、浴槽、金属製部材、樹脂製部材、または、建造物等）に直接噴射して、水流の強さに加えて気泡水内の気泡による洗浄効果によってこれを洗浄する。
また一般に、洗浄対象物を確実に洗浄するため、または、洗浄時間を短時間にするために、洗浄液を洗浄対象にスプレーで吹付けてこれを水で洗い流すようにして、洗浄対象物を洗浄することがおこなわれている。
【先行技術文献】
【特許文献】
【０００３】
【特許文献１】特開昭５２−９４５１３号公報
【発明の概要】
【発明が解決しようとする課題】
【０００４】
しかしながら、このようなノズルから気泡水を噴射することによって洗浄対象を洗浄するものでは、当該気泡水には洗浄液が含まれないため、洗浄対象物を十分に洗浄することができない場合、または、十分に洗浄するためには長時間を要する場合がある。
また、スプレーで洗浄液を吹付けて洗浄対象を洗浄するものでは、スプレーから噴射された洗浄液が洗浄対象物に届かない場合に、当該洗浄液が届く位置まで洗浄対象物に近づいて洗浄液の吹付ける作業をおこなうことを要するため、洗浄作業が煩わしいものであった。
【０００５】
本発明は以上の如き状況に鑑みてなされたものであり、洗浄対象物の洗浄作業を容易におこなうことができるノズルを提供することを課題とする。
【課題を解決するための手段】
【０００６】
本発明の解決しようとする課題は以上の如くであり、次にこの課題を解決するための手段を説明する。
【０００７】
即ち、請求項１においては、水の流出口に接続されて、前記水の流出口からの水が流入する流入部と、前記流入部から流入した水の流れを絞って水の流速を増加させる絞り部と、前記絞り部から下流側へ流出する水に気泡が混入するように空気を導入する空気導入部と、洗浄液が溜められる容器内と連通するように構成され、前記絞り部から下流側へ流出する水に前記容器内の洗浄液が混入するように前記洗浄液を導入する洗浄液導入部と、を具備し、前記流入部から流入した水に前記気泡および前記洗浄液を混入させて洗浄液混入気泡水とし、前記洗浄液混入気泡水を噴射するように構成されるノズルとするものである。
【０００８】
請求項２においては、前記空気導入部は、前記絞り部から下流側へ流出する水の水流によって前記空気が吸引されることにより、前記空気を導入するように構成され、前記洗浄液導入部は、前記絞り部から下流側へ流出する水の水流によって洗浄液が吸引されることにより、前記洗浄液を導入するように構成されるものである。
【０００９】
請求項３においては、前記空気導入部の一部と前記洗浄液導入部の一部とが共通するように構成され、前記空気導入部における空気の入口の開口は、大人の指の腹のよりも小さく開口するように形成されるものである。
【発明の効果】
【００１０】
本発明の効果として、以下に示すような効果を奏する。
【００１１】
即ち、本発明によれば、洗浄対象物の洗浄作業を容易におこなうことができる。
【図面の簡単な説明】
【００１２】
【図１】本発明の実施形態に係るノズルの全体的な構成を示した正面図。
【図２】本発明の実施形態に係るノズルの断面図。
【図３】本発明の実施形態に係るノズルの拡大断面図。
【図４】本発明の実施形態に係るノズルのノズル本体を示した正面図。
【図５】本発明の実施形態に係るノズルのノズル本体における絞り部材を示した左側面図。
【図６】本発明の実施形態に係るノズルの取付け部材を示した正面図。
【図７】本発明の実施形態に係るノズルの取付け部材を示した左側面図。
【図８】本発明の実施形態に係るノズルの取付け部材を示した右側面図。
【図９】本発明の実施形態に係るノズルのノズル本体を取付け部材に挿着する状態を示した正面図。
【図１０】本発明の実施形態に係るノズルの全体的な構成を示した正面図。
【図１１】本発明の実施形態に係るノズルの断面図。
【図１２】本発明の実施形態に係るノズルの拡大断面図。
【発明を実施するための形態】
【００１３】
次に、本発明の実施形態に係るノズル１について、図１から図１２を用いて説明する。
【００１４】
ノズル１は、水の流出口からノズル１内に流入した水に気泡および容器２内の洗浄液を混入させて洗浄液混入気泡水とし、当該洗浄液混入気泡水を噴射するものである。
ここで、容器２とは、図１に示すように、その上端部２ａに開口を有するボトル状の容器２であり、その内部に洗浄液が溜められるものである。容器２は、その上端部２ａにノズル１（ノズル１の取付け部１０）が取付けることができるように構成される。容器２は、その上端部２ａの外周面に雄ネジが形成されて構成される。
また、洗浄液とは、例えば、壁、天井、浴槽、金属製部材、樹脂製部材、または、建造物等を洗浄する際に用いられる液体状の洗浄剤を示す。
【００１５】
ノズル１は、図２に示すように、取付け部１０と、流入部１１と、絞り部１２と、空気導入部１３と、洗浄液導入部１４と、噴射口１５と、を備える。
【００１６】
ノズル１の取付け部１０は、ノズル１を容器２に取付ける部分である。
ノズル１は、その取付け部１０によって容器２の上端部２ａに取付けられる。
【００１７】
ノズル１の流入部１１は、水の流出口に接続されて、水の流出口からの水がノズル１内に流入する部分である。以下において、前記水の流出口は、蛇口に接続されたホースにおける水の流出口部３であるものとして説明する。
【００１８】
ノズル１の絞り部１２は、流入部１１からノズル本１内に流入した水の流れを絞って水の流速を増加させる部分である。絞り部１２は、流入部１１よりも下流側に配置される。ノズル１は、絞り部１２から下流側へ流出する水の流速が、絞り部１２の上流側よりも増加するように構成される。
【００１９】
ノズル１の空気導入部１３は、絞り部１２から下流側へ流出する水に気泡が混入するように、ノズル１外からノズル１内（絞り部１２の下流側部分近傍）に空気を導入する部分である。空気導入部１３は、絞り部１２から下流側へ流出する水に気泡が混入して気泡水となるように、ノズル１内に空気を導入する。
空気導入部１３における空気の入口の開口１３ａは、ノズル１の外側の面に形成される。空気導入部１３における空気の出口の開口１３ｂは、ノズル１内における絞り部１２の下流側部分近傍に形成される。空気導入部１３は、空気導入部１３における空気の入口の開口１３ａから流入して空気導入部１３における空気の出口の開口１３ｂから流出した空気が、ノズル１内に導入されるように構成される。
空気導入部１３は、絞り部１２から下流側へ流出する水の水流によって空気が吸引されることにより、ノズル１内に空気を導入するように構成される。
【００２０】
ノズル１の洗浄液導入部１４は、絞り部１２から下流側へ流出する水にノズル１内に容器２内の洗浄液が混入するように、容器２（ノズル１外）からノズル１内（絞り部１２の下流側部分近傍）に洗浄液を導入する部分である。洗浄液導入部１４は、絞り部１２から下流側へ流出する水に洗浄液が混入して洗浄液混入水となるように、ノズル１内に洗浄液を導入する。洗浄液導入部１４は、容器２内と連通するように構成される。
洗浄液導入部１４における洗浄液の入口の開口１４ａは、取付け部１０によってノズル１が容器２に取付けられることによって、容器２内と洗浄液導入部１４とが連通するような位置に配置される。洗浄液導入部１４における洗浄液の出口の開口１４ｂは、ノズル１内における絞り部１２の下流側部分近傍に形成される。洗浄液導入部１４は、洗浄液導入部１４における洗浄液の入口の開口１４ａに流入して洗浄液導入部１４における洗浄液の出口の開口１４ｂから流出した洗浄液が、ノズル１内に導入されるように構成される。
洗浄液導入部１４は、絞り部１２から下流側へ流出する水の水流によって洗浄液が吸引されることにより、ノズル１内に洗浄液を導入するように構成される。
【００２１】
このようにして、ノズル１は、空気導入部１３によってノズル１内に空気を導入させて絞り部１２から下流側へ流出する水に気泡を混入させるとともに、洗浄液導入部１４によって容器２内の洗浄液をノズル１内に導入させて絞り部１２から下流側へ流出する水に洗浄液を混入させて、絞り部１２から下流側へ流出する水を洗浄液混入気泡水とするように構成される。
【００２２】
ノズル１の噴射口１５は、洗浄液混入気泡水を噴射するものである。
【００２３】
以上のようにして、ノズル１は、流入部１１からノズル１内に流入して絞り部１２から下流側へ流出する水に気泡および洗浄液を混入させて洗浄液混入気泡水とし、当該洗浄液混入気泡水を噴射するように構成される。
そして、ノズル１では、洗浄対象物（例えば、壁、天井、浴槽、金属製部材、樹脂製部材、または、建造物等）に、絞り部１２によって流速が増加された洗浄液混入気泡水を噴射口１５から噴射して、洗浄対象物の洗浄をおこなう。
このようにして、ノズル１では、洗浄液を洗浄対象物に吹付ける作業をおこなうことなく、洗浄液混入気泡水を噴射することによって洗浄対象物の洗浄をおこなう。
また、ノズル１では、洗浄液混入気泡水が噴射された洗浄対象物は、洗浄液混入気泡水内の気泡による洗浄効果に加えて洗浄液の洗浄効果によって洗浄されることとなる。
したがって、ノズル１によれば、洗浄対象物の洗浄作業を容易におこなうことができる。
【００２４】
ノズル１では、洗浄液導入部１４は、絞り部１２から下流側へ流出する水の水流によって洗浄液が吸引されることにより、ノズル１内に洗浄液を導入するように構成される。また、洗浄液導入部１４は、絞り部１２から下流側へ流出する水の水流によって洗浄液が吸引されることにより、ノズル１内に洗浄液を導入するように構成される。
このため、ノズル１では、空気を吸引してノズル１内に空気を導入する装置、および、容器２内の洗浄液を吸引してノズル１内に洗浄液を導入する装置、を設けることなく、絞り部１２から下流側へ流出する水に気泡および洗浄液を混入させて、絞り部１２から下流側へ流出する水を洗浄液混入気泡水とすることができる。
したがって、ノズル１によれば、前記空気を導入する装置および前記洗浄液を導入する装置吸引装置が設けられるものに比べて、簡易な構造で、絞り部１２から下流側へ流出する水を洗浄液混入気泡水とすることができる。
【００２５】
また、ノズル１は、断続的遮断手段１６を具備する。
ノズル１の断続的遮断手段１６は、絞り部１２の閉鎖と開放とを、絞り部１２の上流側において順次おこない、絞り部１２への水の流入を断続的に遮断する手段である。
ノズル１では、断続的遮断手段１６にて絞り部１２への水の流入を断続的に遮断することにより、絞り部１２から下流側へ流出する水の流量が断続的に変化する。
そして、ノズル１では、絞り部１２から下流側へ流出する水の流量が断続的に変化することにより、ノズル１の噴射口１５から噴射する洗浄液混入気泡水の流量も断続的に変化することなる。
このようにして、ノズル１は、その噴射口１５から脈動するような洗浄液混入気泡水を噴射する。
【００２６】
このように断続的遮断手段１６を具備するノズル１では、前記脈動するような洗浄液混入気泡水を噴射口１５から洗浄対象物に噴射して、洗浄対象物の洗浄をおこなう。
そして、前記脈動するような洗浄液混入気泡水が噴射された洗浄対象物は、洗浄液混入気泡水内の気泡による洗浄効果および洗浄液の洗浄効果に加えて、洗浄液混入気泡水が脈動することによって生じる振動によっても洗浄されることとなる。
したがって、ノズル１によれば、脈動しない洗浄液混入気泡水よりも、洗浄液混入気泡水による洗浄効果を向上させることができる。
【００２７】
次に、ノズル１の具体的構成について説明する。
ノズル１は、図１または図２に示すように、ノズル本体１ａと、取付け部材１ｂと、を具備する。
【００２８】
ノズル１のノズル本体１ａは、図１乃至図４に示すように、全体的に略筒状に形成せれる。ノズル本体１ａは、上流側接続部材２０と、連結部材２２と、下流側接続部材２３と、蓋部材３０と、絞り部材４０と、回転体５０と、ケース６０と、を備える。
【００２９】
ノズル１におけるノズル本体１ａの上流側接続部材２０は、略筒状に形成される。
ノズル本体１ａの上流側接続部材２０は、その上流側部がホースの流出口部３に接続されるように構成される。ノズル本体１ａの上流側接続部材２０は、ホースの流出口部３に嵌挿可能に形成される。
ノズル本体１ａの上流側接続部材２０とホースの流出口部３との接続は、ホースの流出口部３に上流側接続部材２０の上流側部２０ｂを嵌挿し、ホースの流出口部３における上流側接続部材２０の上流側部が嵌挿された部分の外周に筒状のホース留め部材４を嵌装することによっておこなう。
ノズル本体１ａの上流側接続部材２０に上流側部は、ノズル１の流入部１１として構成される。
ノズル本体１ａの上流側接続部材２０は、その下流側部の外周部に、連結部材２２が上流側接続部材２０から脱落することを防止するための止め輪２１が配置可能に構成される。
【００３０】
ノズル１におけるノズル本体１ａの連結部材２２は、略筒状に形成される。
ノズル本体１ａの連結部材２２は、上流側接続部材２０と下流側接続部材２３とを連結するものである。
ノズル本体１ａの連結部材２２は、その上流側部内および中途部内に、上流側接続部材２０が配置されるように構成される。
ノズル本体１ａの連結部材２２は、その内部に上流側接続部材２０が配置された状態で上流側部材の下流側部に止め輪２１を配置することによって、上流側接続部材２０から脱落しないように構成される。
ノズル本体１ａの連結部材２２は、その下流側部の内周面に雌ネジが形成されて構成される。
【００３１】
ノズル１におけるノズル本体１ａの下流側接続部材２３は、略筒状に形成される。
ノズル本体１ａの下流側接続部材２３は、その下流側端と蓋部材３０の上流側端とが連続するように蓋部材３０に固定される。ノズル本体１ａの下流側接続部材２３は、下流側接続部材２３内と上流側接続部材２０内とが連通するように上流側接続部材２０の下流側に配置される。
ノズル本体１ａの下流側接続部材２３は、その上流側部の外周面に雄ネジが形成される。ノズル本体１ａの下流側接続部材２３は、その上流側部の雄ネジと連結部材２２の下流側部の雌ネジとが螺合されて、連結部材２２に固定される。
【００３２】
ノズル１におけるノズル本体１ａの蓋部材３０は、略有底筒状に形成される。ノズル本体１ａの蓋部材３０は、その上流側端が開口されるとともに下流側端に底部３５を有して構成される。
ノズル本体１ａの蓋部材３０は、外側に突出するように形成されるフランジ３１を上流側部に有して構成される。
ノズル本体１ａの蓋部材３０は、蓋部材３０内と下流側接続部材２３内とが連通するように下流側接続部材２３の下流側に配置される。ノズル本体１ａの蓋部材３０は、絞り部材４０に蓋をするように配置されて固定される。
【００３３】
ノズル１におけるノズル本体１ａの蓋部材３０は、二つの貫通孔３２を有する。
ノズル本体１ａの蓋部材３０の貫通孔３２は、蓋部材３０の外周面から内周面に貫通するようにして形成される。
【００３４】
ノズル１におけるノズル本体１ａの蓋部材３０は、切欠き３３を有する。
ノズル本体１ａの蓋部材３０の切欠き３３は、貫通孔３２に連通するとともに、貫通孔３２からその底部３５の下流側の面に亘って、底部３５の下流側の面および蓋部材３０の外周面が切欠かれるようにして形成される。ノズル本体１ａの蓋部材３０の切欠き３３は、貫通孔３２の開口から一方の周方向に向かうように（反時計回り）形成される。
【００３５】
ノズル１におけるノズル本体１ａの蓋部材３０は、回転体５０の一部が配置される溝３４を有する。
ノズル本体１ａの蓋部材３０の溝３４は、その底部３５の下流側の面における周縁部を環状に切欠くとともに、切欠き３３と連通するようにして形成される。
【００３６】
ノズル１におけるノズル本体１ａの絞り部材４０は、略有底筒状に形成される。ノズル本体１ａの絞り部材４０は、その上流側端が開口されるとともにその下流側端に底部４５を有して構成される。
ノズル本体１ａの絞り部材４０は、外側に突出するように形成されるフランジ４１を上流側部に有して構成される。
ノズル本体１ａの絞り部材４０は、その上流側部の内径が蓋部材３０のフランジ３１を除く部分の外形と略同一に形成されて、蓋部材３０のフランジ３１を除く部分を絞り部材４０の上流側部内に嵌挿可能に構成される。
【００３７】
ノズル１におけるノズル本体１ａの絞り部材４０は、回転体５０の一部が配置される凹部４２を有する。
ノズル本体１ａの絞り部材４０の凹部４２は、底部４５の上流側の面における中央部に形成される。ノズル本体１ａの絞り部材４０の凹部４２は、底部４５の上流側の面が略半球状に凹むように形成される。
【００３８】
ノズル１におけるノズル本体１ａの絞り部材４０は、二つの切欠き４３・４３を有する（図５参照）。
ノズル本体１ａの絞り部材４０の切欠き４３・４３は、周方向に１８０度ずつ位相をずらすようにして（絞り部材４０の軸心を中心に対向する位置に）それぞれ形成される。ノズル本体１ａの絞り部材４０の切欠き４３は、フランジ４１を含むその外周面の一部が上端部から下端部に亘って絞り部材４０の軸心方向に沿って切欠かれるように形成される。
【００３９】
ノズル１におけるノズル本体１ａの絞り部材４０は、三つの絞り孔４４・４４・４４を有する。ノズル本体１ａの絞り部材４０における絞り孔４４は、ノズル本体１ａ内に流入した水の流れを絞って水の流速を増加させるものである。ノズル本体１ａの絞り部材４０の三つの絞り孔４４・４４・４４で、ノズル１の絞り部１２が構成される。
ノズル本体１ａの絞り部材４０の絞り孔４４・４４・４４は、周方向に１２０度ずつ位相をずらしてそれぞれ形成される。
ノズル本体１ａの絞り部材４０の絞り孔４４は、絞り部材４０内と絞り部材４０外とが連通するように底部４５を貫通して形成される。
ノズル本体１ａの絞り部材４０の絞り孔４４における上流側の開口は、凹部４２内に形成される。また、ノズル本体１ａの絞り部材４０の絞り孔４４における上流側の開口は、絞り部材４０の凹部４２（底部４５）の中心から側部方向側にずれた位置に形成される。
ノズル本体１ａの絞り部材４０の絞り孔４４・４４・４４における下流側のそれぞれの開口は、当該絞り孔４４・４４・４４におけるそれぞれの下流側の開口から流出する三本の水流が一本の水流となるように構成される。
なお、ノズル本体１ａの絞り部材４０の絞り孔４４の数は、三つであることに限定するものではない。
【００４０】
そして、ノズル１におけるノズル本体１ａの絞り部材４０に蓋をするように絞り部材４０の上流側端の開口から絞り部材４０内に蓋部材３０を嵌挿して、絞り部材４０に蓋部材３０を固定する。このとき、ノズル本体１ａの絞り部材４０における上流側端と、蓋部材３０のフランジ３１とが当接するまで、絞り部材４０の上流側内に蓋部材３０を嵌挿する。
【００４１】
このようにノズル１におけるノズル本体１ａの絞り部材４０内に蓋部材３０が嵌挿されることによって、絞り部材４０の上流側部内の面（上流側部の内側の側面、および、底部４５の上流側の面）と、蓋部材３０における底部３５の下流側の面と、で形成される空間で、回転体配置部１７が構成される。
ノズル本体１ａの回転体配置部１７は、回転体５０が配置される部分である。ノズル本体１ａの回転体配置部１７は、流入部１１よりも下流側に配置されるとともに、絞り部１２よりも上流側に配置される。
【００４２】
また、ノズル１におけるノズル本体１ａの絞り部材４０内に蓋部材３０が嵌挿された状態では、蓋部材３０の貫通孔３２および切欠き３３と、回転体配置部１７と、が連通した状態となる。
このようにして、ノズル本体１ａの蓋部材３０の上流側部から流入した水は、その貫通孔３２および切欠き３３を通って回転体配置部１７に流入して、絞り部材４０の絞り孔４４・４４・４４におけるそれぞれの下流側の開口から流出することとなる。
【００４３】
ノズル１におけるノズル本体１ａの回転体５０は、回転することによって絞り孔４４（絞り部１２）の上流側の開口の閉鎖と開放とを順次おこなって、絞り孔４４（絞り部１２）への水の流入を断続的に遮断するものであり、断続的遮断手段１６として構成される。
ノズル本体１ａの回転体５０は、棒状の部材の軸心方向中央部に円盤状の部材が互いの軸心を一致させて設けられたような形状に構成される。回転体５０における棒状部分の両端部は、それぞれ半球状に構成される。
ノズル本体１ａの回転体５０は、回転体配置部１７に配置される。
ノズル本体１ａの回転体５０は、その上部の棒状部分の一端部５０ａ側が他端部５０ｂよりも外周側を向くように軸心を傾斜させて、棒状部分の一端部５０ａを蓋部材３０の溝３４内に位置させ、棒状部分の他端部５０ｂを絞り部材４０の凹部４２に位置させた姿勢で、回転体配置部１７に配置される。
【００４４】
ノズル１におけるノズル本体１ａのケース６０は、その上流側端および下流側端がそれぞれ開口する筒状に構成される。
ノズル本体１ａのケース６０は、その上流側部の内径が絞り部材４０におけるフランジ４１を除く部分の外径と略同一に形成されて、絞り部材４０のフランジ４１を除く部分をケース６０の上流側部内に嵌挿可能に構成される。
ノズル本体１ａのケース６０は、その上流側部の外径が下流側接続部材２３の下流側部の外径よりも小さく構成される。
ノズル本体１ａのケース６０は、その中途部が下流側にいくに従って縮径されるように形成される。
ノズル本体１ａのケース６０の下流側端部には、チューブ６１が設けられる。
【００４５】
そして、ノズル１におけるノズル本体１ａのケース６０内に、ケース６０の上流側端の開口からケース６０内に絞り部材４０におけるフランジ４１を除く部分を嵌挿して、ケース６０に絞り部材４０を固定する。このとき、ノズル本体１ａのケース６０における上流側端と、絞り部材４０のフランジ４１とが当接するまで、ケース６０の上流側部内に絞り部材４０を嵌挿する。
このようにノズル本体１ａのケース６０内に絞り部材４０が嵌挿された状態では、ケース６０の内周面と絞り部材４０の切欠き４３が形成されていない部分の外周面とが当接または近接するが、ケース６０の内周面と絞り部材４０の切欠き４３・４３が形成された部分の外周面との間には二つの空間が形成されることとなる。
また、ノズル本体１ａの絞り部材４０における切欠き４３・４３はフランジ４１の一部を切欠くように形成されるため、このようにケース６０内に絞り部材４０が嵌挿された状態では、絞り部材４０における切欠き４３・４３の上流側端部によってノズル本体１ａの側面に二つの開口１８・１８が形成されることとなる。
ノズル本体１ａのケース６０における下流側の開口（チューブ６１の下流側の開口）は、ノズル１の噴射口１５として構成される。
【００４６】
）
ノズル１の取付け部材１ｂは、ノズル本体１ａを容器２に取付けるものである。
取付け部材１ｂは、ノズル１の取付け部１０として構成される。
取付け部材１ｂは、図１乃至図３、または、図６乃至図７に示すように、容器取付けナット７０と、支持部材８０と、ノズル本体装着部材９０と、を備える。
【００４７】
ノズル１における取付け部材１ｂの容器取付けナット７０は、略筒状に形成される。
取付け部材１ｂの容器取付けナット７０は、その中途部と下部における内周面に雌ネジが形成されて構成される。
【００４８】
ノズル１における取付け部材１ｂの支持部材８０は、ノズル本体装着部９０を支持するものである。
取付け部材１ｂの支持部材８０は、その上面から上方に突出する突出部８１を有し、略円柱状に形成される部材の中央に支持部材８０の軸心方向に貫通する貫通孔８２を有して構成される。
取付け部材１ｂの支持部材８０は、突出部８１の側方において支持部材８０の軸心方向に貫通する空気孔８３を有して構成される。
取付け部材１ｂの支持部材８０は、その突出部８１を除く部分が容器取付けナット７０の上部の内径と略同一に形成されて、容器取付けナット７０の上部に嵌挿可能に構成される。
【００４９】
そして、ノズル１における取付け部材１ｂの支持部材８０は、その突出部８１が容器取付けナット７０の上方から突出するように、容器取付けナット７０の下方の開口から容器取付けナット７０内に嵌挿される。取付け部材１ｂの支持部材８０の下方における容器取付けナット７０の内側には、支持部材８０が容器取付けナット７０から支持部材８０が脱落すること防止するための環状の止め部材８４が固定される。
【００５０】
ノズル１における取付け部材１ｂのノズル本体装着部材９０は、略筒状に形成される。取付け部材１ｂのノズル本体装着部材９０は、ノズル本体装着部材９０内にノズル本体を嵌挿することによって、ノズル本体１ａが装着されるように構成される。
【００５１】
取付け部材１ｂのノズル本体装着部材９０は、上方貫通孔９１と下方貫通孔９２とを有する。取付け部材１ｂのノズル本体装着部材９０における上方貫通孔９１と下方貫通孔９２とは、周方向に１８０度位相をずらすようにして（ノズル本体装着部材９０の軸心を中心に対向する位置に）それぞれ形成される。
取付け部材１ｂのノズル本体装着部材９０における上方貫通孔９１は、その上方の外周面から内周面に貫通するように形成される。取付け部材１ｂのノズル本体装着部材９０における上方貫通孔９１は、その外側の開口９１ａが大人の指の腹よりも小さく開口するように形成されて構成される。取付け部材１ｂのノズル本体装着部材９０における上方貫通孔９１は、例えば、その直径が３ｍｍ以上１ｃｍ以下の程度の大きさに形成されて構成される。
取付け部材１ｂのノズル本体装着部材９０における下方貫通孔９２は、その下方の外周面から内周面に貫通するように形成される。取付け部材１ｂのノズル本体装着部材９０における下方貫通孔９２は、その内径と支持部材８０の外径とが略同一に形成されて、支持部材８０の突出部８１を嵌挿可能に構成される。取付け部材１ｂのノズル本体装着部材９０における下方貫通孔９２は、その軸心方向の長さが支持部材８０の突出部８１における突出方向の長さと略同一に形成される。
【００５２】
そして、ノズル１における取付け部材１ｂのノズル本体装着部材９０は、その下方貫通孔９２の外側の開口から支持部材８０の突出部８１が嵌挿されて、支持部材８０に固定される。このようにして、取付け部材１ｂのノズル本体装着部材９０は支持部材８０に支持される。
このように取付け部材１ｂのノズル本体装着部材９０が支持部材８０に支持されることにより、取付け部材１ｂのノズル本体装着部材９０内と支持部材８０の貫通孔８２とが連通することとなる。
【００５３】
ノズル１における取付け部材１ｂのノズル本体装着部材９０は、その一方の開口９０ａの内径が他方の開口９０ｂの内径よりも小さく構成される。取付け部材１ｂのノズル本体装着部材９０は、その一方の開口９０ａの内径がノズル本体１ａにおけるケース６０の上流側部の外径よりも小さく形成される。取付け部材１ｂのノズル本体装着部材９０は、ノズル本体１ａにおけるケース６０の中途部の所定の箇所の外径と略同一に形成される。
取付け部材１ｂのノズル本体装着部材９０は、その一方の開口９０ａ側部を除く部分の内径がノズル本体１ａにおける下流側接続部材２３の下流側部の外径と略同一に構成される。
つまり、取付け部材１ｂのノズル本体装着部材９０は、その一方の開口９０ａ側部を除く部分の内径がノズル本体１ａにおけるケース６０の上流側部の外径より大きく形成される。
【００５４】
そして、ノズル１のノズル本体１ａは、取付け部材１ｂのノズル本体装着部材９０における他方の開口９０ｂからノズル本体１ａの下流側を挿入していき、取付け部材１ｂのノズル本体装着部材９０に装着される（図９参照）。
このとき、ノズル本体１ａは、その側面の開口１８・１８が取付け部材１ｂのノズル本体装着部材９０内に配置されるように、取付け部材１ｂのノズル本体装着部材９０に装着される。
さらに、ノズル本体１ａは、その側面の開口１８・１８のうち一方の開口１８が上を向き、他方の開口１８が下を向いて、取付け部材１ｂのノズル本体装着部材９０内に配置されるように、取付け部材１ｂのノズル本体装着部材９０に装着される。つまり、ノズル本体１ａは、ケース６０の内周面と絞り部材４０の切欠き４３・４３が形成された部分の外周面との間の二つの空間のうち一方の空間が上方に配置され、他方の空間が下方に配置されるように、取付け部材１ｂのノズル本体装着部材９０に装着される。
【００５５】
ノズル１における取付け部材１ｂのノズル本体装着部材９０の一方の開口９０ａの近傍とノズル本体１ａにおけるケース６０の中途部との間、および、取付け部材１ｂのノズル本体装着部材９０の他方の開口９０ｂの近傍とノズル本体１ａにおける下流側接続部材２３の下流側端部との間には、それぞれオーリング９３が配置される。
【００５６】
このようにノズル１における取付け部材１ｂのノズル本体装着部材９０にノズル本体１ａが装着された状態では、ノズル本体１ａにおけるケース６０の上流側部の外周面と、取付け部材１ｂにおけるノズル本体装着部材９０の内周面と、の間に隙間が生じることとなる。
また、このように取付け部材１ｂのノズル本体装着部材９０にノズル本体１ａが装着された状態では、ノズル本体１ａにおけるケース６０の外周面と、取付け部材１ｂにおけるノズル本体装着部材９０の内側の面と、の間（ノズル本体装着部材９０の内側）には、空間が形成されることとなる。
さらに、このように取付け部材１ｂのノズル本体装着部材９０にノズル本体１ａが装着された状態では、取付け部材１ｂにおけるノズル本体装着部材９０の内側の空間と、ノズル本体１ａにおけるケース６０の内周面と絞り部材４０の切欠き４３・４３が形成された部分の外周面との間の二つの空間と、は、ノズル１の側面の開口１８・１８を介して連通することとなる。
【００５７】
つまり、ノズル１は、取付け部材１ｂにおけるノズル本体装着部材９０の上方貫通孔９１と、取付け部材１ｂにおけるノズル本体装着部材９０の内側の空間と、ノズル本体１ａにおけるケース６０の内周面と絞り部材４０の切欠き４３・４３が形成された部分の外周面との間の二つの空間と、が連通するように構成される。
取付け部材１ｂにおけるノズル本体装着部材９０の上方貫通孔９１と、取付け部材１ｂにおけるノズル本体装着部材９０の内側の空間と、ノズル本体１ａにおけるケース６０の内周面と絞り部材４０の切欠き４３が形成された部分の外周面との間の一方の空間（上方の切欠き４３）と、でノズル１の空気導入部１３が構成される。
取付け部材１ｂにおけるノズル本体装着部材９０の上方貫通孔９１の上方（外側）の開口９１ａは、ノズル１の空気導入部１３における空気の入口の開口１３ａとして構成される。ノズル本体１ａにおける絞り部材４０の上方の切欠き４３の下流側の開口は、ノズル１の空気導入部１３における空気の出口の開口１３ｂとして構成される。
【００５８】
ノズル１は、取付け部材１ｂにおける支持部材８０の貫通孔８２と、取付け部材１ｂにおけるノズル本体装着部材９０の内側の空間と、ノズル本体１ａにおけるケース６０の内周面と絞り部材４０の切欠き４３・４３が形成された部分の外周面との間の二つの空間と、が連通するように構成される。
取付け部材１ｂにおける支持部材８０の貫通孔８２と、取付け部材１ｂにおけるノズル本体装着部材９０の内側の空間と、ノズル本体１ａにおけるケース６０の内周面と絞り部材４０の切欠き４３が形成された部分の外周面との間の他方の空間（下方の切欠き４３）と、でノズル１の洗浄液導入部１４が構成される。
取付け部材１ｂにおける支持部材８０の貫通孔８２の下方（容器２側）の開口８２ａは、ノズル１の洗浄液導入部１４における洗浄液の入口の開口１４ａとして構成される。ノズル本体１ａにおける絞り部材４０の下方の切欠き４３の下流側の開口は、ノズル１の洗浄液導入部１４における洗浄液の出口の開口１４ｂとして構成される。
【００５９】
以上のように構成されるノズル１は、洗浄液が溜められた容器２に取付けられる。ノズル１における取付け部材１ｂの容器取付けナット７０の雌ネジと、容器２の上端部の雄ネジとを螺合させることにより、ノズル１は容器２に取付けられる。
このようにノズル１が容器２に取付けられることにより、容器２内と、ノズル１における取付け部材１ｂの支持部材８０の貫通孔８２と、が連通することとなる。つまり、このように、ノズル１が容器２に取付けられることにより、容器２内と、ノズル１の洗浄液導入部１４と、が連通することとなる。
【００６０】
このように容器２に取付けられたノズル１では、ノズル本体１ａの上流側接続部材２０（流入部１１）からノズル本体１ａ内に流入した水は、下流側接続部材２３をとおって蓋部材３０の上流側部から蓋部材３０内に流入する。そして、ノズル本体１ａの蓋部材３０に流入した水は、その貫通孔３２および切欠き３３を通り、回転体配置部１７に流入し、絞り部材４０の絞り孔４４・４４・４４（絞り部１２）から流出する。
このとき、ノズル本体１ａにおける絞り部材４０の絞り孔４４・４４・４４におけるそれぞれの下流側の開口から流出する水は、その流速が増加されて流出される。
そして、ノズル本体１ａにおける絞り部材４０の絞り孔４４・４４・４４から流出する水の水流によって空気導入部１３における空気の出口から空気が吸引されて、当該流出する水に気泡が混入される。
また、ノズル本体１ａにおける絞り部材４０の絞り孔４４・４４・４４から流出する水の水流によって洗浄液導入部１４における洗浄液の出口から洗浄液が吸引されて、当該流出する水に洗浄液が混入される。
このようにして、ノズル１は、ノズル本体１ａにおける絞り部材４０の絞り孔４４・４４・４４（絞り部１２）から下流側へ流出する水に気泡および洗浄液を混入させて洗浄液混入気泡水とし、ケース６０の下流側の開口（噴射口１５）から洗浄液混入気泡水を噴射するように構成される。
なお、前記洗浄液が吸引されるときには取付け部材１ｂにおける支持部材８０の空気孔８３から空気が吸引されて容器２内に導入されるため、洗浄液が吸引されることによって容器２が拉げることが防止される。
【００６１】
また、ノズル１におけるノズル本体１ａの蓋部材３０の貫通孔３２と切欠き３３とを通った水の水流方向は、ノズル１内への水の流入方向（ノズル１の軸方向）から周方向（反時計周り）となって、回転体配置部１７に流入した水流は螺旋状の流水となる。
そして、ノズル本体１ａの回転体５０は、その円盤状部分にて前記螺旋状の水流を受けることによってその軸心の向きを変えながら回転するように構成される。
このとき、ノズル本体１ａの回転体５０は、その棒状部分の一端部５０ａが蓋部材３０の溝３４内を反時計回りに移動し、その棒状部分の他端部５０ｂが絞り部材４０の凹部４２内において凹部４の中心より外側の部分の一部に当接するようにして回転する。
さらにこのとき、ノズル本体１ａの回転体５０は、回転体５０は、これが回転してその棒状部分の他端部５０ｂが一つの絞り孔４４の上流側の開口上に位置したときに、当該棒状部分の下端部で当該一つの絞り孔４４の上流側の開口を閉鎖する。そして、ノズル本体１ａの回転体５０は、これがさらに回転して、前記絞り孔４４の上流側の開口を通過したときに、当該絞り孔４４の上流側の開口を開放する。
さらに、ノズル本体１ａの回転体５０は、前記一つの絞り孔４４の回転体５０の回転方向側に隣接する絞り孔４４の方に回転していき、当該隣接する絞り孔４４においても同様に、絞り孔４４の上流側の開口の閉鎖と開放とをおこなう。
【００６２】
このように、ノズル１では、ノズル本体１ａの回転体５０が回転することによって、当該回転体５０の棒状部分の下端部で、絞り部材４０における三つの（複数の）絞り孔４４・４４・４４のうち少なくとも一つの絞り孔４４の上流側の開口の閉鎖と開放とを順次おこなっていき、回転体配置部１７から前記少なくとも一つの絞り孔４４への水の流入を断続的に遮断する。そして、ノズル本体１ａの回転体５０がさらに回転することによって、前記閉鎖と開放とをおこなった絞り部材４０の絞り孔４４に隣接する絞り孔４４の上流側の開口の閉鎖と開放とを順次おこなっていき、回転体配置部１７から前記隣接する絞り孔４４への水の流入を断続的に遮断する。
【００６３】
以上のようにして、ノズル１は、ノズル本体１ａの絞り部材４０における少なくとも一つの絞り孔４４への水の流入を断続的に遮断して、絞り孔４４・４４・４４（絞り部１２）の下流側の開口から流出する水の流量を断続的に変化させ、ケース６０の下流側の開口（噴射口１５）から噴射する洗浄液混入気泡水の流量を断続的に変化させて、ケース６０の下流側の開口（噴射口１５）から脈動するような洗浄液混入気泡水を流出するように構成される。
【００６４】
ノズル１は、空気導入部１３と洗浄液導入部１４とが取付け部材１ｂにおけるノズル本体装着部材９０の内側の空間において共通するように構成される。つまり、ノズル１は、空気導入部１３の一部と洗浄液導入部１４の一部とが共通するように構成される。
また、取付け部材１ｂのノズル本体装着部材９０における上方貫通孔９１の外側の開口９１ａ（空気導入部１３における空気の入口の開口１３ａ）は、大人の指の腹のよりも小さく開口するように形成される。このため、ノズル１では、例えば大人の指の腹によってノズル本体装着部材９０における上方貫通孔９１の外側の開口９１ａの一部または全部を塞ぐことによって、ノズル本体装着部材９０における上方貫通孔９１の外側の開口９１ａ（空気導入部１３における空気の入口の開口１３ａ）の大きさを小さくすることができる。このようにして、ノズル１は、空気導入部１３における空気の入口の開口１３ａの大きさを変更可能に構成される。
そして、ノズル１は、空気導入部１３の一部と洗浄液導入部１４の一部とが共通するように構成されため、空気導入部１３における空気の入口の開口１３ａの大きさを変更することによって、絞り部１２（絞り部材４０の絞り孔４４・４４・４４）から流出する水の水流による洗浄液を吸引する力を増減させることができる。
例えば、ノズル１では、空気導入部１３における空気の入口の開口１３ａの大きさを小さく変更した場合には、絞り部１２から流出する水の水流による洗浄液を吸引する力が増加し、ノズル１内に導入される洗浄液の量が増加することとなる。
このようにして、ノズル１では、絞り部１２から下流側へ流出する水に洗浄液が混入する量を容易に調節することができる。
【００６５】
なお、ノズル１は、ノズル１の上方に容器２が位置するようにして（ノズル本体１ａと取付け部材１ｂとの配置を上下逆にして）、構成してもよい。
このように構成することにより、ノズル１の絞り部１２から下流側へ流出する水の水流によって吸引されることに加えて、重力によって、洗浄液導入部１４における洗浄液の入口の開口１４ａ（取付け部材１ｂにおける支持部材８０の貫通孔８２の容器２側の開口８２ａ）に容器２内の洗浄液が流入することとなる。
したがって、このような構成のノズル１によれば、絞り部１２から下流側へ流出する水に洗浄液をより確実に混入させることができる。
【００６６】
また、ノズル１における取付け部材１ｂは、図１０または図１１に示すように、管部材８５を有する構成であってもよい。
取付け部材１ｂの管部材８５の上端部は、支持部材８０の貫通孔８２に嵌挿されて固定される。取付け部材１ｂの管部材８５は、その下端部が、ノズル１が容器２に取付けられたときに容器２の底部近傍に至るように支持部材８０から下方に延出するように構成される。
このように取付け部材１ｂが構成されるとき、ノズル１は、取付け部材１ｂにおける支持部材８０の管部材８５内と、取付け部材１ｂにおけるノズル本体装着部材９０の内側の空間と、ノズル本体１ａにおけるケース６０の内周面と絞り部材４０の切欠き４３・４３が形成された部分の外周面との間の二つの空間と、が連通するように構成される。
取付け部材１ｂにおける支持部材８０の管部材８５内と、取付け部材１ｂにおけるノズル本体装着部材９０の内側の空間と、ノズル本体１ａにおけるケース６０の内周面と絞り部材４０の切欠き４３が形成された部分の外周面との間の他方の空間（下方の切欠き４３）と、でノズル１の洗浄液導入部１４が構成される。
取付け部材１ｂにおける支持部材８０の管部材８５の下方（容器２側）の開口８５ａは、ノズル１の洗浄液導入部１４における洗浄液の入口の開口１４ａとして構成される。
【００６７】
ノズル１のノズル本体１ａは、図１２に示すように、洗浄液導入部１４の上流側に、逆止弁２４を配置する構成であってもよい。ノズル本体１ａの逆止弁２４は、ノズル本体１ａ内において、流体（例えば、洗浄液混入気泡水、または、洗浄液等）が上流側に流入すること（流体が逆流すること）を防止するものである。
ノズル本体１ａの逆止弁２４は、弁体２５と、弁体支持部材２６と、付勢バネ２７と、弁座２８と、を有して構成され、下流側接続部材２３内に配置される。
ノズル本体１ａにおける逆止弁２４の弁体支持部材２６は、上流側方向または下流側方向に移動可能に弁体２５を支持するものであり、下流側接続部材２３内に固定される。
ノズル本体１ａにおける逆止弁２４の弁体２５は、弁体支持部材２６に支持されて、上流側方向または下流側方向に移動可能に構成される。
ノズル本体１ａにおける逆止弁２４の弁座２８は、弁体２５の上流側に配置されて、下流側接続部材２３内に固定される。
ノズル本体１ａの逆止弁２４の付勢バネ２７は、弁体２５を上流側に付勢するように配置される。
そして、ノズル本体１ａの逆止弁２４は、その上流側から下流側に流体が流れるときには、付勢バネ２７の付勢力に抗って弁体２５が下流側に移動して当該弁体２５が弁座２８から離座し、下流側接続部材２３内（水の流路）を開放するように構成される。
また、ノズル本体１ａの逆止弁２４は、その上流側から下流側に流体（例えば、水）が流れていないとき、または、その下流側から上流側に流体（例えば、洗浄液混入気泡水、または、洗浄液等）が流れるときには、付勢バネ２７によって弁体２５が上流側に付勢されて当該弁体２５が弁座２８に着座し、下流側接続部材２３内（水の流路）を閉鎖するように構成される。
以上のようにして、ノズル本体１ａの逆止弁２４は、ノズル本体１ａ内において流体が上流側に流入すること（流体が逆流すること）を防止するように構成される。
【符号の説明】
【００６８】
１    ノズル
１ａ  ノズル本体
１ｂ  取付け部材
２    容器
１０  取付け部
１１  流入部
１２  絞り部
１３  空気導入部
１４  洗浄液導入部
【図１】
2013039504.tif 000003
【図２】
2013039504.tif 000004
【図３】
2013039504.tif 000005
【図４】
2013039504.tif 000006
【図５】
2013039504.tif 000007
【図６】
2013039504.tif 000008
【図７】
2013039504.tif 000009
【図８】
2013039504.tif 000010
【図９】
2013039504.tif 000011
【図１０】
2013039504.tif 000012
【図１１】
2013039504.tif 000013
【図１２】
2013039504.tif 000014